(57)【特許請求の範囲】
【請求項１】
座部と、該部下方に取付けられた折りたたみ可能な複数の脚とから形成される椅子において、
片端が脚取付け金具２に固着された上ピン６が嵌合されるピン溝１３と、斜面部１６とを有する頭部５を備え、上方中央部に長孔１０を設け且つ別体の不動体と合体時に接面の、前記長孔の下方長手方向に、上端に突出テラス１５を備えた長溝１４を有する厚板状のピストン体１１と、
上方中央部にピン孔２０を設け且つ別体のピストン体と合体時に接面の、前記孔の下方長手方向に、下端に突出テラス１９を備えた長溝１８を有する厚板状の不動体１２とのニ体を、前記長溝１４，１８内にスプリング２１を装着の上合体して一体となし、該体をカバー外体内に頭部のみが露出する形で収納すると共に、カバー外体の上部に貫設された長孔８と、不動体１２上部のピン孔２０と、ピストン体上部の長孔１０とに、下ピン７を挿通して取付け金具２に軸支し、脚３を折りたたみ自在としたことを特徴とする脚折りたたみ椅子。
【請求項２】
ピン溝１３と斜面部１６とを有する頭部５を備え、上方中央部に長孔１０を設け、且つ別体の不動体１２と合体する接面の、前記長孔の下方長手方向に、上端に突出テラス１５を備えた長溝１４を有する厚板状のピストン体１１は、合成樹脂で一体に成形されたことを特徴とする請求項１記載の脚折りたたみ椅子。
【発明の詳細な説明】
【０００１】
【発明の属する技術分野】
本発明は、学校や地域の施設或いはプール等で多く使用されている脚折りたたみ椅子に係り、特にその折りたたみ脚が複数個ある長椅子に関するものである。
【０００２】
【従来の技術】
従来、この種の一般的な椅子は、たたまれている脚を引き起こして、ストッパーを掛け、支えアームで固定するものか、或いは、丸パイプをクロス状に軸支形成した脚を、Ｕ字形を呈する係止金具に嵌めこんで固定するものが主であった。
【０００３】
【発明が解決しようとする課題】
折りたたまれている脚を引き起こしてストッパーを掛け、支えアームで固定するものや、丸パイプをクロス状に軸支して形成した脚を、Ｕ字形を呈する係止金具に嵌めこんで固定する従来のものは、脚を引き起こす時、或いは脚をＵ字形の係止金具に嵌め込むとき、指を巻きこんだり、挟んだりするトラブルがしばしば発生している事実がある。
加えて、椅子の脚には上からだけでなく横方向にも力が加えられる。特に長椅子の場合、同時に多数の人が座ったり立ったり或いは左右に揺すったりすることもあるので、脚の固定部には大きなモーメントが働くことになるので、より一層強固で安定性のあるものが望まれる。
従来品が有する上記の問題点に鑑み、本発明が解決しようとする点は、脚の折りたたみが安全に且つ簡便に行え、更には立ち上げ起こされた脚の固定が安定性を有する椅子を提供するものである。
【０００４】
【課題を解決するための手段】
上記目的を達成するために本発明の脚折りたたみ椅子は、座部と該部下方に取付けられた折りたたみ可能な複数の脚とから形成される椅子において、
片端が脚取付け金具に固着された上ピンが嵌合されるピン溝と斜面部とを有する頭部を備え、上方中央部に長孔を設け且つ別体の不動体と合体時に接面の下方、前記長孔の長手方向に、上端に突出テラスを備えた長溝を有する厚板状のピストン体と、
上方中央部にピン孔を設け且つ別体のピストン体と合体時に接面の、前記孔の下方長手方向に、下端に突出テラスを備えた長溝を有する厚板状の不動体との二体を、前記長溝内にスプリングを装着の上合体して一体となし、該体をカバー外体内に頭部のみが露出する形で収納すると共に、カバー外体の上部に貫設された
長孔と、不動体上部のピン孔と、ピストン体上部の長孔とに、下ピンを挿通して軸支して、脚を折りたたみ自在としたことを特徴とするものである。
また、ピン溝と斜面部とを有する頭部を備え、上方中央部に長孔を設け且つ別体の不動体と合体する接面の、前記長孔の下方長手方向に、上端に突出テラスを備えた長溝を有する厚板状のピストン体は合成樹脂で一体に成形されている。
【０００５】
本発明の脚折りたたみ椅子は以上のように構成されているから、脚３を引き下げるとピストン体１１が下降し、頭部５のピン溝１３に嵌合している上ピン６が嵌合状態から浮き上がる。次に脚を回せば、上ピン６は斜面部方向に滑り降りるように外れる。つまり、脚３は下ピン７で取付け金具に軸支されているので斜面部方向に回動自在となり折り曲げたたまれる。
一方、折り曲げられている脚３を起こし立ち上げるときは、脚３を下方に回転させると、上ピン６は頭部５の斜面部を頂部方向に登り始め、やがてはピン溝１３に落下して嵌合状態となり脚は直立状態に立ちあげ固定される。
これらの操作はピストン体１１の長溝１４と、不動体１２の長溝１８に内装着されたスプリング２１の働きによって円滑に行われると共に、ピン溝に上ピン６が落下して嵌合状態となった後は、前記スプリング２１が常時脚全体を押し上げているので、その固定状態は安定し椅子を揺らした程度でぐらつく事はない。
更に、上ピンとピン溝との接点の外、下ピンと下ピンが挿通している各孔（長孔８，ピン孔２０，長孔１０）との接点が有り、接点個所が多い分、ぶれが少なく固定を安定的にしている。
加えて、ピストン体も不動体も厚板状を呈している上に、これら二体は合体して一体となることから、該体厚板状の側面とカバー外体の内面とは、面での接触となる。このように、その接触面積が大きい分、横方向に対して、特に効果を発揮し固定状態はより安定性を増しており、本発明に係る脚折りたたみは長椅子にでも十分な安定性と耐久性を合わせ持っている。
【０００６】
【発明の実施の形態】
以下に本発明の脚折りたたみ椅子の実施の形態について図面を参照しながら説明する。
図１は本発明に係る脚折りたたみ椅子Ａを示し、この椅子は座部１、脚取付け金具２、脚３の主要な３つの部位より形成され、座部１の下方に脚取付け金具２を一体的に設け、該金具に図中矢印方向に折りたたみ可能な脚３を備えたものである。
【０００７】
図２に示されたものは、合体して一体となり脚３を構成するのに重要な役目を果たす二体の部材で、符号１１のピストン体と符号１２の不動体である。
ピストン体１１は、通常合成樹脂の一体成形で作られ、頂部には後記上ピン６嵌合用の長溝状のピン溝１３と、一側方には斜面部１６とを有する頭部５と、この頭部下方は長方形の厚板状を呈しており、上部中央部には長孔１０が、また該長孔左右には後記カバー外体取付け用の小孔９が設けられ、更に前記長孔１０下方には、突出テラス１５を上端に備えた長溝１４が長手方向に設けられている。
このピストン体１１と合体して一体となる不動体１２は、ピストン体と同種の合成樹脂で成形されることが望ましく、長方形の厚板状を呈していて、上部中央部には後記下ピン７挿通用のピン孔２０と、該孔の下方には前記ピストン体と合体する接面に、下端に突出テラス１９を備えた長溝１８が長手方向に設けられている。
【０００８】
図３は、本発明の要部である脚の折りたたみ部を示しており、ピストン体１１と不動体１２のニ体は合体して一体となり、該体は全て中空のカバー外体４内に頭部５以外は露出する部位無く収められ、このカバー外体４とピストン体１１との一体化は、上部に設けられた小孔９を用いて行われる。
図中符号６の上ピンは、片端は脚取付け金具２に固着されており、図示のように脚が起こされた状態のときは頭部のピン溝１３に嵌合されている。
また、符号７の下ピンはカバー外体４の長孔８と不動体のピン孔２０及びピストン体の長孔１０を挿通し、片端は脚取付け金具に固着される。
したがって脚３は脚取付け金具２に下ピン７で軸支されており、脚を図中矢印方向（下方）に引けば、上ピン６がピストン体頭部のピン溝１３から外れるので、図１に矢印に示したように脚は座部方向に折りたたむことができる。
【０００９】
図４は図３の状態における正面を（カバー外体と上ピン及び下ピンは断面を）示しており、ここで、ピストン体１１の突出テラス１５と不動体１２の突出テラス１９との位置関係を説明すれば、前記のようにピストン体と不動体とは合体して一体となるが、このとき、ピストン体の突出テラス１５は不動体の長溝１８内上端に位置し、不動体の突出テラス１９はピストン体の長溝１４内下端に位置して収まる。
つまり、各突出テラスは合体相手の長溝内端部に位置して収まっているので、この長溝に内装着される後記スプリング２１の支板の役目を果たしている。
【００１０】
図５は図４の状態における本発明の要部を断面で示したものである。図中符号２の脚取付け金具は、前記図のチャンネル状のものとその形状を異にしパイプ状を呈しているが、これは関連部材の一実施例であって、直接本発明と関係が無く、このことによって本発明の脚折りたたみ椅子はなんら左右されない。
ここで新たに図示された符号２１のスプリングは、ピストン体１１の長溝１４と不動体１２の長溝１８とに内装着され、図３の矢印のように脚が引かれたとき、ピストン体１１が下降し、上ピン６がピン溝１３から外れ、脚３は折りたたまれるが、引かれた脚を元の位置に復元させる役目を果たすとともに、脚が立ち上げられているときは常に脚を押し上げているので、上ピンをピン溝１３に嵌合した状態に固定保持する役目も果たしている。
【００１１】
【発明の効果】
本発明は以上説明のような構成を有するものであるから、従来品のように、たたまれている脚を引き起こしてストッパーを掛けて支えアームで固定するもの、或いは丸パイプの脚をＵ字形の係止金具に嵌めこみ固定するものでもなく、機能を有する主要な部材はカバー外体内に収納されているので、指を巻きこんだり、挟んだりするトラブルの発生は防止でき安全である。
また、折りたたまれた脚を起こすときは、脚を半回転させれば、上ピンが頭部の斜面部を登りピン溝に嵌合されて脚は立ち上げられ固定される。
反対に折りたたむときは、脚を引いて半回転させれば、頭部のピン溝に嵌合されている上ピンが斜面部を滑り下り嵌合状態は外れ、脚はそのまま折りたたまれるので、脚の折りたたみ及び立ち上げがすこぶる簡便に行えるばかりでなく、その立ち上げ固定は安定的で横ぶれに対しても強固である等々の効果を奏する。
【図面の簡単な説明】
【図１】本発明による脚折りたたみ椅子である。
【図２】本発明要部を構成する部材の説明図である。
【図３】本発明要部の構成部材の一部切欠説明図である。
【図４】本発明要部の構成を一部断面で説明する図である。
【図５】本発明構成要部を断面で説明する図である。
【符号の説明】
Ａ椅子
１座部    ２脚取付け金具    ３脚    ４カバー外体    ５頭部    ６上ピン
７下ピン  ８長孔    ９固着孔    １０長孔    １１ピストン体    １２不動体
１３ピン溝      １４長溝    １５突出テラス    １６斜面部    １８長溝
１９突出テラス    ２０ピン孔    ２１スプリング
【図１】
0003893412.tif 000002
【図２】
0003893412.tif 000003
【図３】
0003893412.tif 000004
【図４】
0003893412.tif 000005
【図５】
0003893412.tif 000006